(57)【要約】      （修正有）【課題】バックレストの傾倒・起立動作を緩やかに行うことができ、かつ快適な使用感が得られるアームレスト操作式のリクライニングチェアを提供する。【解決手段】アームレスト２４０の操作によりバックレスト２１０を傾倒・起立させるようにしたリクライニングチェアであって、バックレスト２１０と、水平方向に延設された座部フレーム２２１にクッション部材を装着してなる座部２２０と、前方脚部フレーム２３１と後方脚部フレーム２３２の左右上方端部を傾倒位置決め用のピンＰ１により枢支してなる脚部２３０と、肘側をピンＰ２によりバックレストフレーム２１１に枢支して指先側を上方に回動可能とし、指先側内部又は外部にピンＰ１を所望の位置に係止可能とした係止部を有するアームレストフレームを備えるアームレスト２４０とを具備し、ピンＰ１とピンＰ２との間に引張りコイルバネを懸架してリクライニングチェアを構成する。【選択図】図２
2006181053.tif 000002
【特許請求の範囲】
【請求項１】
アームレストの操作によりバックレストを傾倒・起立させるようにしたアームレスト操作式のリクライニングチェアであって、バックレストフレームにクッション部材を装着してなるバックレストと、前記バックレストフレームの下端部に位置し水平方向に延設された座部フレームにクッション部材を装着してなる座部と、前方脚部フレームと後方脚部フレームの左右上方端部を傾倒位置決め用のピンＰ１により枢支してなる脚部と、肘側をピンＰ２により前記バックレストフレームに枢支して指先側を上方に回動可能とし、かつ該指先側内部又は外部に前記ピンＰ１を所望の位置に係止可能とした係止部を有するアームレストフレームにクッション部材を装着してなるアームレストとを具備し、前記ピンＰ１と前記ピンＰ２との間に引張りコイルバネを懸架してなることを特徴とするリクライニングチェア。
【請求項２】
前記引張りコイルバネの引張り力は、２Ｋｇの荷重に対し１４〜１８ｃｍ伸びるように設定されていることを特徴とする請求項１に記載のリクライニングチェア。
【請求項３】
前記座部フレームは、前方側がピンＰ３により前記前方フレームに枢支され、後方側がピンＰ４によって一端が前記後方フレームに連結された連結レバーの他端にピンＰ５を介して枢支されており、前記ピンＰ１ないし前記ピンＰ５を枢軸としてチェア本体が平坦に折り畳まれることを特徴とする請求項１又は請求項２に記載のリクライニングチェア。
【請求項４】
前記座部フレームの下方に引き出し式のフットレストが収納されていることを特徴とする請求項１ないし請求項３のいずれかに記載のリクライニングチェア。
【請求項５】
アームレストの操作によりバックレストを傾倒・起立させるようにしたアームレスト操作式のリクライニングチェアであって、バックレストフレームにクッション部材を装着してなるバックレストと、前記バックレストフレームの下端部に位置し水平方向に延設された座部兼後方脚部フレームにクッション部材を装着してなる座部と、上方端部に傾倒位置決め用のピンＰ１Ａを有する前方脚部フレームと、肘側をピンＰ２Ａにより前記バックレストフレームに枢支して指先側を上方に回動可能とし、かつ該指先側内部又は外部に前記ピンＰ１Ａを所望の位置に係止可能とした係止部を有するアームレストフレームにクッション部材を装着してなるアームレストとを具備し、前記ピンＰ２Ａにピストンを連結させると共に、内部に圧縮コイルバネを有し前記ピストンを受容するシリンダをピンＰ４Ａにより前記座部兼後方脚部フレームに枢支してなることを特徴とするリクライニングチェア。
【請求項６】
前記座部兼後方脚部フレームは、前方側がピンＰ３Ａにより前記前方フレームに枢支され、前記バックレストフレームと前記座部兼後方脚部フレームとはピンＰ５Ａにより枢支されており、前記ピンＰ２Ａないし前記ピンＰ５Ａを枢軸としてチェア本体が平坦に折り畳まれることを特徴とする請求項５に記載のリクライニングチェア。
【請求項７】
前記座部兼後方脚部フレームの下方に引き出し式のフットレストが収納されていることを特徴とする請求項５又は請求項６に記載のリクライニングチェア。
【発明の詳細な説明】
【技術分野】
【０００１】
本発明は、リクライニングチェアに関し、更に詳細には、アームレストを操作することによりバックレストを傾倒・起立させるようにしたアームレスト操作式のリクライニングチェアの改良に関する。
【背景技術】
【０００２】
従来、バックレストを機械的に作動させて所望の角度に傾倒・起立させるようにした種々の構造のリクライニングチェアが提案され、実用化されている。
【０００３】
このようにバックレストを機械的に作動させるリクライニングチェアの一つに、図９に側面図で示すような、バックレストの傾倒・起立調整をアームレストの操作により行うようにしたリクライニングチェア１００が一般に知られている。
【０００４】
すなわち、このリクライニングチェア１００は、バックレストフレーム１１１にクッション部材１１２を装着してなるバックレスト１１０と、バックレストフレーム１１１の下端部に位置し水平方向に延設された座部フレーム１２１にクッション部材１２２を装着してなる座部１２０と、前方脚部フレーム１３１と後方脚部フレーム１３２の左右上方端部を傾倒位置決め用のピンＰ１により枢支してなる脚部１３０と、肘側をピンＰ２により前記バックレストフレーム１１１に枢支して指先側を上方に回動可能とし、かつ、該指先側内部にピンＰ１を所望の位置に係止可能とした係止部１４２を有するアームレストフレーム１４１にクッション部材１４３を装着してなるアームレスト１４０とにより構成されている。
【０００５】
このリクライニングチェア１００においてバックレスト１１０の角度調整を行う場合には、先ず腰をかけたまま上体を前かがみにしてバックレスト１１０から背中を離し、次に左右のアームレスト１４０の先端部を同時に矢印Ｙ１方向に持ち上げ、そのまま左右のアームレスト１４０を同時に矢印Ｙ２で示す前後方向に動かしてバックレスト１１０を矢印Ｙ３方向に傾倒させ、好みの位置が得られたときに左右のアームレスト１４０を降ろしてピンＰ１の突出端部Ｐ１Ｔを係止部１４２に形成された所定の係止突起１４２Ｔ間に係止し、そして左右の肘をアームレスト１４０に載せて固定することにより調整を完了する。
【０００６】
図１０は、このようにピンＰ１がアームレストフレーム１４１の係止部１４２に係止されるメカニズムの説明図であって、（Ａ）はアームレスト１４０の内部構造を示す側断面図、（Ｂ）はその下面図である。
【０００７】
すなわち、このアームレスト１４０は、樹脂材により上面が側面視で船底型に内部が中空に一体成形されたアームレストフレーム１４１の上面にクッション部材１４３を装着してなり、アームレストフレーム１４１の肘側はピンＰ２によりバックレストフレーム１１１に枢支され、指先側における側部フレーム１４１Ｗの各内面には側面視で鋸刃状をなす複数個（この例では５個）の係止突起１４２Ｔが形成された係止部１４２が設けられている。前方脚部フレーム１３１と後方脚部フレーム１３２の上方端部に挿通されたピンＰ１はこの両端部が係止突起１４２Ｔ間に係止され、ピンＰ１とピンＰ２の位置関係によりバックレスト１１０の姿勢が決められる。すなわち、バックレスト１１０は左右のアームレスト１４０を前方にスライドさせると起き上がり、後方にスライドさせると倒れるように構成されている。
【０００８】
なお、図９に示すように、このリクライニングチェア１００は座部フレーム１２１の前方側がピンＰ３により前方フレーム１３１に枢支され、後方側がピンＰ４によって一端が後方フレーム１３２に連結された連結レバー１２３の他端にピンＰ５を介して枢支されており、バックレスト１１０と座部１２０とを相対的に動かして合わせると、前記ピンＰ１ないしピンＰ５のいずれかを介し、チェア全体を平坦に折り畳むことができるようになっている。
【０００９】
しかしながら、このような従来のリクライニングチェア１００によれば、アームレスト１４０のスライド運動が、直接、バックレスト１１０の傾倒・起立運動として作用するため、バックレスト１１０を緩やかに傾倒・起立させることができず、アームレスト１４０を前後にスライドさせる度にバックレスト１１０の動きが使用者の想定した動きとはならないために使用者に不快感を与えるという欠点があった。
【００１０】
とくに、バックレスト１１０に背中を預けたままアームレスト１４０を矢印Ｙ１方向に持ち上げると、バックレスト１１０が矢印Ｙ３方向に急激に倒れるため、使用者、とくに老齢者や病弱者等の使用者に恐怖心を与え、時には危険な場合があるため、取り扱いには細心の注意が必要であり、また、この旨を取扱説明書等の中で再三警告する必要があった。
【００１１】
また、姿勢を直す等の目的で傾倒しているバックレスト１１０を起立させる場合には、左右のアームレスト１４０を同時に持ち上げると共に、傾倒しているバックレスト１１０を前方に手で引き上げなければならないため操作にかなりの力が必要となり、このため使用者が老齢者や病弱者であるような場合には取り扱いが面倒かつ困難であるという欠点があった。
【発明の開示】
【発明が解決しようとする課題】
【００１２】
本発明は上述したような実情に鑑みなされたもので、その目的とするところは、バックレストの傾倒・起立動作を緩やかに行うことができ、老齢者や病弱者であっても安心して容易に取り扱うことができ、かつ快適な使用感が得られるアームレスト操作式のリクライニングチェアを提供することにある。
【課題を解決するための手段】
【００１３】
本発明の上記目的は、アームレストの操作によりバックレストを傾倒・起立させるようにしたアームレスト操作式のリクライニングチェアであって、バックレストフレームにクッション部材を装着してなるバックレストと、前記バックレストフレームの下端部に位置し水平方向に延設された座部フレームにクッション部材を装着してなる座部と、前方脚部フレームと後方脚部フレームの左右上方端部を傾倒位置決め用のピンＰ１により枢支してなる脚部と、肘側をピンＰ２により前記バックレストフレームに枢支して指先側を上方に回動可能とし、かつ該指先側内部又は外部に前記ピンＰ１を所望の位置に係止可能とした係止部を有するアームレストフレームにクッション部材を装着してなるアームレストとを具備し、前記ピンＰ１と前記ピンＰ２との間に引張りコイルバネを懸架してなることを特徴とするリクライニングチェアを提供することにより達成される。
【００１４】
また、本発明の上記目的は、前記引張りコイルバネの引張り力は、２Ｋｇの荷重に対し１４〜１８ｃｍ伸びるように設定されていることを特徴とするリクライニングチェアを提供することにより、より効果的に達成される。
【００１５】
また、本発明の上記目的は、前記座部フレームは、前方側がピンＰ３により前記前方フレームに枢支され、後方側がピンＰ４によって一端が前記後方フレームに連結された連結レバーの他端にピンＰ５を介して枢支されており、前記ピンＰ１ないし前記ピンＰ５を枢軸としてチェア本体が平坦に折り畳まれることを特徴とするリクライニングチェアを提供することにより、より効果的に達成される。
【００１６】
また、本発明の上記目的は、前記座部フレームの下方に引き出し式のフットレストが収納されていることを特徴とするリクライニングチェアを提供することにより、より効果的に達成される。
【００１７】
また、本発明の上記目的は、アームレストの操作によりバックレストを傾倒・起立させるようにしたアームレスト操作式のリクライニングチェアであって、バックレストフレームにクッション部材を装着してなるバックレストと、前記バックレストフレームの下端部に位置し水平方向に延設された座部兼後方脚部フレームにクッション部材を装着してなる座部と、上方端部に傾倒位置決め用のピンＰ１Ａを有する前方脚部フレームと、肘側をピンＰ２Ａにより前記バックレストフレームに枢支して指先側を上方に回動可能とし、かつ該指先側内部又は外部に前記ピンＰ１Ａを所望の位置に係止可能とした係止部を有するアームレストフレームにクッション部材を装着してなるアームレストとを具備し、前記ピンＰ２Ａにピストンを連結させると共に、内部に圧縮コイルバネを有し前記ピストンを受容するシリンダをピンＰ４Ａにより前記座部兼後方脚部フレームに枢支してなることを特徴とするリクライニングチェアを提供することにより達成される。
【００１８】
また、本発明の上記目的は、前記座部兼後方脚部フレームは、前方側がピンＰ３Ａにより前記前方フレームに枢支され、前記バックレストフレームと前記座部兼後方脚部フレームとはピンＰ５Ａにより枢支されており、前記ピンＰ２Ａないし前記ピンＰ５Ａを枢軸としてチェア本体が平坦に折り畳まれることを特徴とするリクライニングチェアを提供することにより、より効果的に達成される。
【００１９】
さらにまた、本発明の上記目的は、前記座部兼後方脚部フレームの下方に引き出し式のフットレストが収納されていることを特徴とするリクライニングチェアを提供することにより、より効果的に達成される。
【発明の効果】
【００２０】
このように、本発明に係わるリクライニングチェアは、ピンＰ１とピンＰ２との間に引張りコイルバネを懸架し、あるいは、ピンＰ１ＡとピンＰ４Ａとの間に圧縮コイルバネを装着し、バネ力を介してバックレストの傾倒・起立を行うように構成されているので、傾倒・起立動作を緩やかに行うことができ、これにより使用者に快適感を与えることができる。また、傾倒させたバックレストを起立させる場合には、バネ力を利用して戻すことができるので、従来のような余分な力を必要とせず、このため老齢者や病弱者であっても安心して容易に取り扱うことができる利点がある。
【００２１】
とくに、チェア全体を平坦に折り畳むことができ、かつ、フットレストを備えた本発明に係わるリクライニングチェアによれば、快適感がさらに増し、また取扱いが一段と容易となる利点がある。
【発明を実施するための最良の形態】
【００２２】
以下、本発明の内容を実施例に基づき詳述する。なお、本発明は必ずしも以下の実施例に限定されるものではなく、特許請求の範囲を逸脱しない範囲において、その構成を種々に変更できることはいうまでもない。
【００２３】
図１は、本発明の第１実施例に係わるアームレスト操作式のリクライニングチェア２００の斜視図、図２はその側面図である。なお、本リクライニングチェア２００の基本的な骨格および使用法は前述した従来のリクライニングチェア１００と共通するので、共通する構成要素には前記リクライニングチェア１００と対応する２００番台の符号を付して説明する。
【００２４】
本リクライニングチェア２００は、バックレスト２１０、座部２２０、脚部２３０、アームレスト２４０、フットレスト２５０によって構成されている。
【００２５】
ここに、バックレスト２１０は、金属製のパイプを折り曲げて下方に開放するコの字状のバックレストフレーム２１１と、このバックレストフレーム２１１間に懸架されたバネ部材２１３にクッション部材２１２を装着してなっている。
【００２６】
座部２２０は、樹脂材によりフットレスト２５０を収納可能な収納ケース状に成形され、バックレストフレーム２１１の開放下端部に位置し水平方向に延設された座部フレーム（兼フットレスト収納ケース）２２１にクッション部材２２２を装着してなっている。本実施例では、座部２２０の床面高さが、人間工学的な観点から、通常の椅子よりも低く座椅子よりも高い約４０ｃｍ程度に設定され、長時間に渡りリラックスして座ることができるように工夫されている。なお、クッション部材２１２とクッション部材２２２とは連設されており、クッション部材２１２の上部、すなわちクッションヘッドカバーをバックレストフレーム２１１の上部に被せることによりこれらのクッション部材がバックレスト２１０と座部２２０に装着されるようになっている。
【００２７】
脚部２３０は、金属製のパイプを折り曲げて上方に開放するコの字状に形成された前方脚部フレーム２３１と同様に形成された後方脚部フレーム２３２の開放側左右上方端部を交差させ、この交差部を傾倒位置決め用のピンＰ１により枢支してなっている。ピンＰ１の両端部は交差部から幅方向に突出して突出端部Ｐ１ｔが形成されている。この突出端部Ｐ１ｔは後述するようにバックレスト２１０の傾倒角度調整に用いられる。前方脚部フレーム２３１は途中から前方に傾斜するように曲げられ、前に倒れ難い構造となっている。前方脚部フレーム２３１と後方脚部フレーム２３２の床面との接触部にはクッション性を有する樹脂材等からなるフロアプロテクター２３３が間隔を置いて配設されている。
【００２８】
アームレスト２４０は、樹脂材により上面が側面視で船底型に内部が中空に一体成形されたアームレストフレーム２４１の上面にクッション部材２４３を装着してなっている。このアームレストフレーム２４１の肘側はピンＰ２によりバックレストフレーム２１１に枢支され、これにより指先側がピンＰ２を支点として、矢印Ｙ１及び仮想線で示すように上方に回動できるようになっている。
【００２９】
アームレストフレーム２４１の指先側における側部フレーム２４１Ｗの各内面には、図３（Ａ）に側断面図で、図３（Ｂ）にその下面図で示すように、側面視で鋸刃状をなす複数個の係止突起２４２Ｔが形成された係止部２４２が設けられている。本実施例ではこの係止突起２４２Ｔが５個設けられ、傾倒角度が５段階に設定されているが、この係止突起２４２Ｔの設置数は必要に応じ適宜に増減することができる。図示するように、係止突起２４２Ｔ間には前述したピンＰ１の突出端部Ｐ１ｔが係止され、これによりバックレスト２１０の傾倒位置、すなわち傾倒角度が決定される。このように突出端部Ｐ１ｔが前後方向に移動され、係止突起２４２Ｔ間に係止されるとき、係止突起２４２Ｔの先端部が鋸刃状に形成されているので、突出端部Ｐ１ｔの移動、係止が容易かつ確実に行うことができる。
【００３０】
なお、この係止部２４２の構成は、必ずしも上述した実施形態に限定されるものではなく、その形状、材質、設置場所等については後述するような構成に変更することができる。
【００３１】
本リクライニングチェア２００ではアームレストフレーム２４１の内部において、ピンＰ１とピンＰ２との間に引張りコイルバネ２４４が懸架されている。このように引張りコイルバネ２４４を設けることにより、バックレスト２１０をバネの引張り力に抗して緩やかに傾倒することができるので快適感が得られ、また、逆にバックレスト２１０を起立させる場合にはバネの復元力を利用して自動的に、ないし極めて弱い力で起立させることができるので、老齢者や病弱者でも安心して楽に取り扱うことができる。なお、この引張りコイルバネには、本発明者の実験結果に基づき、引張り力が２Ｋｇの荷重に対し１４〜１８ｃｍ伸びるもの、さらに好ましくは２Ｋｇの荷重に対し１５〜１７ｃｍ伸びるものが適用されている。これは、引張り力がこの範囲を外れ、弱過ぎたり強過ぎたりすると、バックレスト２１０の傾倒・起立動作を緩やかに行うことができず、とくに強過ぎる場合にはバックレスト２１０が急激に起立するようになるため安全上好ましくないからである。
【００３２】
フットレスト２５０は、金属製のパイプにより後端側が開放されてコの字状に形成されたフットレストフレーム２５１及びこのフットレストフレーム２５１間に懸架されたバネ部材２５２を布製のクッション部材２５３で装着してなり、図２に矢印Ｙ４で示すように、ケース状の座部フレーム（兼フットレスト収納ケース）２２１内から必要な長さだけ引き出して使用され、使用後は座部フレーム（兼フットレスト収納ケース）２２１内に収納される。このようなフットレスト２５０を使用すると、長時間に渡り膝を伸ばしながら一段とリラックスして座ることができる。
【００３３】
また、図２に示すように、本リクライニングチェア２００は座部フレーム（兼フットレスト収納ケース）２２１の前方側がピンＰ３により前方フレーム２３１に枢支され、後方側がピンＰ４によって一端が後方フレーム２３２に連結された連結レバー２２３の他端にピンＰ５を介して枢支されている。このように、本リクライニングチェア２００は、バックレスト２１０、座部２２０、フットレスト２５０を含む座部２２０、脚部２３０、そしてアームレスト２４０の夫々が、ピンＰ１ないしピンＰ５のいずれかを介し、相互に枢動可能に枢支されているので、バックレスト２１０（ないしバックレストフレーム２１１）と座部２２０（ないし座部フレーム２２１）とを図２に矢印Ｙ５で示すように相対的に動かして合わせると、図４に斜視図で示すようにチェア全体を平坦に折り畳むことができる。このため、本リクライニングチェア２００によれば、持ち運びや設置等の取り扱いが容易となり、また、不使用時の保管に際しスペースを取らないという利点がある。
【００３４】
なお、本リクライニングチェア２００では、バックレスト２１０のクッション部材２１２、及び座部２２０のクッション部材２２２にはウレタン（チップやスライス）あるいは綿（ワタ）等のクッション性を有し、厚みが７〜１５ｃｍもある厚い部材が使用されているので座り心地が極めて良好である。
【００３５】
また、バックレストフレーム２１１、前方脚部フレーム２３１、後方脚部フレーム２３２の塗装には旧来の油系統の溶剤を使用した塗料ではなく、環境に優しいエマルジョンタイプの溶剤を使用したアクリル樹脂の粉体焼付け塗装が施されており、さらにまた、クッション部材２１２、２２２、２４３の表面には環境に優しいポリウレタン合成皮革、綿、本革等が張設されている。
【００３６】
以上、本発明の内容を第１実施例に基づき説明したが、本発明はこのような第１実施例に限定されるものではなく、その構成の一部を次のように変更することができる。
【００３７】
図５は、上記第１実施例におけるアームレスト２４０の構成の変更に係わるアームレスト２４０Ａの斜視図である。
【００３８】
本アームレスト２４０Ａは、木材（ぶな材）からなるアームレストフレーム２４１Ａの下部に、外側部にギアの歯状の係止突起２４２ＴＡを有する鉄鋼製の係止部２４２Ａを一体的に設けてなっている。なお、アームレストフレーム２４１Ａはぶな材に限らず、その他の木材、あるいは木材以外の素材で構成することも可能である。このアームレストフレーム２４１Ａの木部にはクッション部と同質のポリウレタン合成皮革、布、革等が巻かれている。アームレストフレーム２４１Ａの肘側は外側から挿通されたピンＰ２によりバックレストフレーム２１１に枢支され、これにより指先側がピンＰ２を支点として矢印Ｙ１方向に回動可能とされ、係止部２４２Ａには前方脚部フレーム２３１と後方脚部フレーム２３２の交差部に挿通された傾倒位置決め用のピンＰ１の先端部が外側から係止され、これによりバックレスト２１０の傾倒位置、すなわち傾倒角度が決められるようになっている。ここに、外側に突出したピンＰ１とピンＰ２との間に引張りコイルバネ２４４が懸架されていることは前記第１実施例と同様である。なお、この引張りコイルバネ２４４を含む係止部２４２Ａには図示しない安全カバーが側面から装着されるようになっており、使用者の安全が図られている。
【００３９】
このように、本アームレスト２４０Ａでは、アームレストフレーム２４１Ａ（すなわち腕載せ部）がぶな材ほかの木材、あるいはその他の素材で構成され、かつ、これにクッション部と同質のポリウレタン合成皮革、布、革等が巻かれているので高級感が得られ、また、係止部２４２Ａが鉄鋼材で構成されているので、前記実施例における樹脂材の場合に較べ、ピンＰ１により係止突起２４２ＴＡを始め係止部２４２Ａが摩耗したり損傷したりする比率が減少し、耐久性が大幅にアップする利点がある。
【００４０】
図６は、本発明の第２実施例に係わるアームレスト操作式のリクライニングチェア３００の斜視図、図７は図６のＡ−Ａ断面図、図８は図６のＢ−Ｂ断面図である。なお、本リクライニングチェア３００の基本構成は、一部を除き、前述した第１実施例に係わるリクライニングチェア２００と共通するので、以下は共通する構成要素に前記リクライニングチェア２００と対応する３００番台の符号を付して説明する。
【００４１】
本リクライニングチェア３００は、バックレスト３１０、座部３２０、脚部３３０、アームレスト３４０、フットレスト３５０によって構成されている。
【００４２】
前記リクライニングチェア２００と同様に、バックレスト３１０は、金属製のパイプを折り曲げて下方に開放するコの字状のバックレストフレーム３１１と、このバックレストフレーム３１１間に懸架された図示しないバネ部材にクッション部材３１２を装着してなっている。
【００４３】
座部３２０は、金属材により成形され、バックレストフレーム３１１の開放下端部に位置して水平方向に延設された座部兼後方脚部フレーム３２１にクッション部材３２２を装着してなっている。本実施例では、座部３２０の床面高さが、前記リクライニングチェア２００よりも低く座椅子よりも高い約２０〜３０ｃｍ程度に設定され、長時間に渡りさらにリラックスして座ることができるように構成されている。なお、クッション部材３１２とクッション部材３２２との構成及び装着方法は前記リクライニングチェア２００と同様である。
【００４４】
脚部３３０は、金属製のパイプを折り曲げて上方に開放するコの字状に形成された前方脚部フレーム３３１と、金属製のパイプを折り曲げて後方に開放するコの字に形成された前記座部兼後方脚部フレーム３２１からなっている。なお、本実施例では、この座部兼後方脚部フレーム３２１はその前方閉鎖部が床面に載置するように形成され、前方脚部フレーム３３１と共に前方脚部フレームを構成している。図６に示すように、バックレストフレーム３１１と座部兼後方脚部フレーム３２１とは途中でピンＰ５Ａにより枢支されている。前方脚部フレーム３３１の左右上方端部には、前記リクライニングチェア２００におけるピンＰ１と同様な機能を有する傾倒位置決め用のピンＰ１Ａが両端部を幅方向に突出して脚部フレーム３３１に挿通されており、中央部はピンＰ３Ａにより座部兼後方脚部フレーム３２１に枢支されている。
【００４５】
アームレスト３４０は、木製のアームレストフレーム３４１の上面にクッション部材３４３及びカバー部材３４４を装着してなり、アームレストフレーム３４１の下部には金属材からなる係止部３４２が設けられている。この係止部３４２には、図６に示すように側面視でギアの歯状をなし、このギアの歯状部が図８に示すように幅方向両側に突出するように形成された係止突起３４２ＴＡが一体成形されている。前記位置決めピンＰ１Ａはこの係止突起３４２ＴＡ間の上部に係止され、これによりバックレスト３１０の傾倒位置、すなわち傾倒角度が決定される。前記リクライニングチェア２００と同様に、アームレスト３４０の肘側はピンＰ２Ａを介してアームレストフレーム３４１に枢支されており、これにより指先側がピンＰ２Ａを支点として矢印Ｙ１で示すように上方に回動できるようになっている。
【００４６】
ピンＰ２Ａは、図６及び図７に示すように、シリンダ３６０内を上下方向に摺動するピストン３６１の上端部に連結されている。シリンダ３６０の下端部はピンＰ４Ａを介して前記座部兼後方脚部フレーム３２１に枢支されている。シリンダ３６０内のピストン３６１の下端部とピンＰ４Ａとの間には圧縮コイルバネ３６２が装着されている。この圧縮コイルバネ３６２には、前記リクライニングチェア２００における引張りコイルバネ２４４のバネ力（引張り力）と実質的に同等なバネ力（圧縮力）を有するものが適用されている。
【００４７】
本リクライニングチェア３００におけるアームレスト３４０は以上のとおり構成されているので、背中をバックレスト３１０に預け、左右のアームレストフレーム３４１を矢印Ｙ１方向に同時に持ち上げてバックレスト３１０を傾倒させると、ピンＰ２Ａを介してピストン３６１を下方に押圧する力が作用し、ピストン３６１が下降して圧縮コイルバネ３６２を押圧する。その後、バックレスト３１０が好みの位置に傾倒されたとき、アームレストフレーム３４１を降ろしてピンＰ１Ａを係止部３４２の所定の係止突起３４２ＴＡ間に係止することにより一連の傾倒操作が終了する。
【００４８】
このように圧縮コイルバネ３６２を設けることにより、前記リクライニングチェア２００と同様に、バックレスト３１０をバネの引張り力に抗して緩やかに傾倒することができるので快適感が得られ、また、逆にバックレスト３１０を起立させる場合にはバネの復元力を利用して自動的に、ないし極めて弱い力で起立させることができるので、老齢者や病弱者でも安心して楽に取り扱うことができる。
【００４９】
フットレスト３５０は、座部兼後方脚部フレーム３２１の下方において、座面と平行に延設されたガイド部材３５１に沿って引き出し可能とされたフットレストフレーム３５２と、これに装着されたクッション部材３５３とからなっている。
【００５０】
以上のとおり、本リクライニングチェア３００は、バックレスト３１０、座部３２０、フットレスト３５０を含む座部３２０、脚部３３０、そしてアームレスト３４０の夫々が、ピンＰ２ＡないしＰ５Ａのいずれかを介し、相互に枢動可能に支持されているので、前記リクライニングチェア２００と同様に、バックレスト３１０（ないしバックレストフレーム３１１）と座部３２０（ないし前記座部兼後方脚部フレーム３２１）を相対的に動かして合わせるとチェア全体を平坦に折り畳むことができる。このため、本リクライニングチェア３００によっても、持ち運びや設置等の取り扱いが容易となり、また、不使用時の保管に際しスペースを取らないという効果が得られる。
【図面の簡単な説明】
【００５１】
【図１】本発明の第１実施例に係わるリクライニングチェアの斜視図である。
【図２】上記リクライニングチェアの側面図である。
【図３】上記リクライニングチェアにおけるアームレストを示す図で、（Ａ）はその側断面、（Ｂ）はその下面図である。
【図４】上記リクライニングチェアを折り畳んだ状態を示す斜視図である。
【図５】上記リクライニングチェアにおけるアームレストの変更例を示す斜視図である。
【図６】本発明の第２実施例に係わるリクライニングチェアの斜視図である。
【図７】図６におけるＡ−Ａ断面図で、ピストンとシリンダの内部構造を示す図である。
【図８】図６におけるＢ−Ｂ断面図で、係止部の内部構造を示す図である。
【図９】従来のリクライニングチェアの側面図である。
【図１０】上記リクライニングチェアにおけるアームレストを示す図で、（Ａ）はその側断面、（Ｂ）はその下面図である。
【符号の説明】
【００５２】
１００，２００，３００                リクライニングチェア
１１０，２１０，３１０                バックレスト
１１１，２１１，３１１                バックレストフレーム
１１２，２１２，３１２                クッション部材
１２０，２２０，３２０                座部
１２１，２２１，３２１                座部フレーム
１２２，２２２，３２２                クッション部材
１３０，２３０，３３０                脚部
１３１，２３１，３３１                前方脚部フレーム
１３２，２３２，３２１                後方脚部フレーム
１４０，２４０，２４０Ａ，３４０      アームレスト
１４１，２４１，２４１Ａ，３４１      アームレストフレーム
１４２，２４２，２４２Ａ，３４２      係止部
１４３，２４３，３４３                クッション部材
２２１                                座部フレーム（兼フットレスト収納ケース）
２２３                                連結レバー
２４４                                引張りコイルバネ
２５０，３５０                        フットレスト
２５１，３５２                        フットレストフレーム
３６０                                シリンダ
３６１                                ピストン
３６２                                圧縮コイルバネ
Ｐ１〜Ｐ５，Ｐ１Ａ〜Ｐ５Ａ            ピン
【図１】
2006181053.tif 000003
【図２】
2006181053.tif 000004
【図３】
2006181053.tif 000005
【図４】
2006181053.tif 000006
【図５】
2006181053.tif 000007
【図６】
2006181053.tif 000008
【図７】
2006181053.tif 000009
【図８】
2006181053.tif 000010
【図９】
2006181053.tif 000011
【図１０】
2006181053.tif 000012